(57)【要約】【課題】プロジェクタおよび／またはスクリーンの種類、あるいはその組合せは、表示される映像の品質に影響することがある。【解決手段】フロント・プロジェクション表示装置は、映像を生成するように構成された映像生成ソースと、映像を受けるように構成された広角レンズ系と、スクリーンとを備えて提供される。広角レンズ系は、第１ステージで映像の歪みを増大させ、第２ステージで映像の歪みを減少させるように構成され、スクリーンは、第１側の広角レンズ系から映像を受け、第１側の視聴者に映像を反射して戻すように構成されることが可能である。別の実施の形態では、スクリーンは、フロント・プロジェクション系用に提供され、スクリーンは、急角度から光を受け、所望の表示面に沿って視聴者に光を反射して戻すように構成された任意の数の表面形状を備えるように構成されることが可能である。【選択図】図３
2014095912.tif 000002
【特許請求の範囲】
【請求項１】
フロント・プロジェクション表示装置であって、
スクリーンと、
歪曲した中間映像を生成する第１ステージと、前記中間映像の歪みを実質的に相殺させ、前記スクリーン上に前記中間映像に対応する実質的に非歪曲映像を投影させる第２の広角レンズ・ステージとを具備した広角レンズ系と
を備えるフロント・プロジェクション表示装置。
【請求項２】
前記第１ステージの光軸および前記第２ステージの光軸は、９０°の角度を形成している請求項１記載のフロント・プロジェクション表示装置。
【請求項３】
前記第１ステージの光軸および前記第２ステージの光軸は、１８０°の角度を形成している請求項１記載のフロント・プロジェクション表示装置。
【請求項４】
前記投影系は、前記スクリーンの方へ３０°〜８０°の間の角度で光を投影するように構成されている請求項１記載のフロント・プロジェクション表示装置。
【請求項５】
前記スクリーンは、実質的に急角度で前記映像を受け、実質的に水平面に沿って前記光を反射して戻すように構成されている請求項１記載のフロント・プロジェクション表示装置。
【請求項６】
前記スクリーンは、フレネル・レンズである請求項１記載のフロント・プロジェクション表示装置。
【請求項７】
前記スクリーンは、片面レンズ状スクリーンである請求項１記載のフロント・プロジェクション表示装置。
【請求項８】
前記スクリーンは、ガラスビーズのスクリーンである請求項１記載のフロント・プロジェクション表示装置。
【請求項９】
前記スクリーンは、複数の反射凹凸を備えている請求項１記載のフロント・プロジェクション表示装置。
【請求項１０】
フロント・プロジェクション系であって、
歪曲された中間映像を生成する第１ステージと、
前記中間映像の歪みを実質的に相殺する歪みを生じ、前記中間映像に対応する実質的に非歪曲映像を投影する第２の広角レンズ・ステージと
を備え、
前記第１ステージおよび前記広角レンズ・ステージは、前記映像が前記第１ステージから前記第２ステージに進む方向とは映像経路が逆転するように配置されているフロント・プロジェクション系。
【請求項１１】
前記広角レンズ・ステージは、スクリーンに急角度で前記非歪曲映像を投影するように構成されている請求項１０記載のフロント・プロジェクション系。
【請求項１２】
前記急角度は、３０°〜８０°の間の角度である請求項１１記載のフロント・プロジェクション系。
【請求項１３】
表示装置であって、
スクリーンと、
元の映像から予備歪曲映像を生成する予備歪曲系と、
前記予備歪曲映像の予備歪曲を実質的に相殺するように歪ませ、前記スクリーンに前記元の映像に対応する実質的に非歪曲映像を投影させる投影系と
を備える表示装置。
【請求項１４】
前記表示装置は、フロント・プロジェクション表示装置である請求項１３記載の表示装置。
【請求項１５】
前記投影系は、広角レンズを備えている請求項１４記載の表示装置。
【請求項１６】
前記予備歪曲系は、中継レンズ群を備えている請求項１４記載の表示装置。
【請求項１７】
前記予備歪曲系の光軸および前記投影系の光軸は、１８０°の角度を形成している請求項１４記載の表示装置。
【請求項１８】
前記投影系は、前記スクリーンの方に３０°〜８０°の間の角度で光を投影するように構成されている請求項１４記載の表示装置。
【請求項１９】
前記スクリーンは、前記映像を実質的に急角度で受け、前記光を実質的に水平面に沿って反射して戻すように構成されている請求項１４記載の表示装置。
【請求項２０】
前記スクリーンは、片面レンズ状スクリーンである請求項１４記載の表示装置。
【請求項２１】
前記スクリーンは、ガラスビーズ製のスクリーンである請求項１４記載の表示装置。
【請求項２２】
前記スクリーンは、複数の反射凹凸を備えている請求項１４記載の表示装置。
【請求項２３】
前記スクリーンは、前記視聴者に映像を反射して戻すような反射面形状を備えている請求項１４記載の表示装置。
【請求項２４】
前記スクリーンは、前記映像が視聴者に出力されるのと同じ側で前記映像を受ける請求項１４記載の表示装置。
【請求項２５】
前記スクリーンは、前記映像を視聴者に方向を変えて戻す反射面を含んでいる請求項１４記載の表示装置。
【請求項２６】
フロント・プロジェクション表示装置であって、
映像を生成するように構成された映像生成ソースと、
第１ステージにおいて前記映像の歪みを増大させ、第２ステージにおいて前記映像の歪みを減少させるように構成された、前記映像を受けるように構成された広角レンズ系と、
第１側の前記広角レンズ系から前記映像を受け、前記第１側の視聴者に前記映像を反射して戻すように構成されたスクリーンと
を備えるフロント・プロジェクション表示装置。
【請求項２７】
前記スクリーンは、急角度から光を受けるように構成されている請求項２６記載のフロント・プロジェクション表示装置。
【請求項２８】
前記スクリーンは、反射面形状を備えている請求項１６記載のフロント・プロジェクション表示装置。
【発明の詳細な説明】
【技術分野】
【０００１】
本発明は、短い距離で大映像を生成することができる光学系を組み込んだフロント・プロジェクション系、および表示装置に関する。
【背景技術】
【０００２】
本願は、2002年8月16日に出願された一部継続出願第10/222,083号（特許弁護士事件整理番号IFC.369（004589.P019））、および2002年8月16日に出願された一部継続出願第10/222,050号（特許弁護士事件整理番号IFC.368（004589.P018））であり、それぞれの内容全体は、すべての目的のためにそれらの全体を参照によってここに援用される。
【０００３】
表示面上に映像を投影あるいは表示するには多くの方法がある。大画面表示装置を生成する１つの方法は、プロジェクション・テレビジョンのような投影装置の使用である。２種類のプロジェクション・テレビジョンは、リア・プロジェクション・テレビジョンおよびフロント・プロジェクション・テレビジョンである。典型的には、リア・プロジェクション・テレビジョンの構成部品は、単一ユニットに含まれている。これに対して、フロント・プロジェクション・テレビジョンでは、テレビジョンの構成部品は、互いに分離されることが可能である。たとえば、いくつかのフロント・プロジェクション・テレビジョンジョン方式においては、構成部品のうちのいくつかは、第１の位置に配置されることが可能である一方、別の構成部品は、第２の位置に配置されることが可能である。
【発明の概要】
【発明が解決しようとする課題】
【０００４】
プロジェクション・テレビジョンの構成部品は、典型的には、プロジェクタおよびスクリーンを含んでいる。映像は、プロジェクタによって生成され、スクリーン上に表示されることが可能である。プロジェクタおよび／またはスクリーンの種類、あるいはその組合せは、表示される映像の品質に影響することがある。
【課題を解決するための手段】
【０００５】
フロント・プロジェクション表示装置は、映像を生成するように構成された映像生成ソースと、前記映像を受けるように構成された広角レンズ系と、スクリーンとを備えて提供される。前記広角レンズ系は、第１ステージにおいて映像の歪みを増大させ、第２ステージにおいて映像の歪みを減少させるように構成されることが可能である。前記スクリーンは、第１側の広角レンズ系から映像を受け、該映像を前記第１側の視聴者に反射して戻すように構成されることが可能である。別の実施の形態においては、スクリーンは、フロント・プロジェクション系用に提供され、該スクリーンは、急角度から光を受けるように構成されることが可能であり、所望の表示面に沿って前記視聴者に光を反射するように構成された任意の数の表面形状を含むことが可能である。
【図面の簡単な説明】
【０００６】
【図１】従来のフロント・プロジェクション表示装置の模式図である。
【図２】本開示の実施の形態にかかる別のフロント・プロジェクション表示装置の別の模式図である。
【図３】本開示の実施の形態にかかる図２のフロント・プロジェクション表示装置において使用可能なレンズ系のブロック図である。
【図４】本開示の実施の形態にかかる図２のフロント・プロジェクション表示装置において使用可能なレンズ系の模式図である。
【図５】本開示の実施の形態にかかる図２のフロント・プロジェクション表示装置において使用可能な別のレンズ系の模式図である。
【図６】図２のフロント・プロジェクション表示装置と共に使用するフレネル・レンズの図である。
【図７】本開示の実施の形態にかかる図６のフレネル・レンズの断面図である。
【図８】本開示の実施の形態にかかる図２のフロント・プロジェクション表示装置と共に使用する反射ミラーを備えたスクリーンの構成の別の断面図である。
【図８ａ】本開示の実施の形態にかかる図２のフロント・プロジェクション表示装置と共に使用するレンズ状シートを備えたスクリーンの構成の別の断面図である。
【図９】本開示の実施の形態にかかる図２のフロント・プロジェクション表示装置と共に使用するビーズ構造を備えたスクリーンの構成の別の断面図である。
【図１０】本開示の実施の形態にかかる図２のフロント・プロジェクション表示装置と共に使用する反射凹凸を備えたスクリーンの構成の別の断面図である。
【図１１】本開示の実施の形態にかかる図２のフロント・プロジェクション表示装置において使用可能な別のレンズ系の模式図である。
【図１２】本開示の実施の形態にかかる図１１において示されるレンズ系を備えたプロジェクタを示している。
【発明を実施するための形態】
【０００７】
短い距離で大映像を生成することができる光学系を組み込んだ表示装置が下に記述される。次の記述においては、説明の目的のために、多数の特定の詳細が、本発明についての詳細な理解を提供するために記述されている。しかしながら、当業者にとっては、本発明がこれらの特定の詳細なしに実行されることができることは明白である。他の事例においては、構造および装置は、本発明を不明瞭にしないようにするためにブロック図の形態で示されている。
【０００８】
図１は、従来のフロント・プロジェクション表示装置を示している。フロント・プロジェクション表示装置100は、プロジェクタ110およびスクリーン120を備えている。スクリーン120は、任意の適切な表示面であることが可能である。たとえば、或る実施の形態においては、スクリーン120は、フレネル・レンズであることが可能である。典型的には、スクリーン120は、スクリーン面130を備えている。
【０００９】
プロジェクタ110は、フロント・プロジェクション表示装置100の運転中に、映像を生成し、該映像をスクリーン120に投影するように構成されることが可能である。スクリーン120は、投影された映像を反射し、それを視聴者（図示せず）の方へ導くことが可能である。或る実施の形態においては、スクリーン面130は、投影された映像が視聴者に見えるように光を散乱させることが可能である。光線140および150は、光がプロジェクタ110からスクリーン120に進むことが可能な典型的な経路を示す一方、光線160および170は、光がスクリーン120を反射した後で進むことが可能な典型的な経路を示している。
【００１０】
可変表面形状を備えた様々な種類のスクリーン面が、視聴者の方へ映像を反射するのに使用されることが可能である。たとえば、スクリーン面は、ガラスビーズ製スクリーン面または凹凸スクリーン面であることが可能である。ガラスビーズ製スクリーン面は、典型的には、スクリーン面130上の透明コーティングに埋め込まれた複数の小さなガラスビーズを有している。そのような面は、図２に記述された系のようないくつかの種類の投影系には不適切であることがある。さらに、そのようなガラスを基礎としたスクリーンおよび凹凸面のスクリーンは、クリーニングするのが難しい場合があり、それは、そのようなスクリーンに反射された映像の品質に影響することがある。
【００１１】
或る実施の形態においては、光が当たるスクリーン120は、光が適切な角度でこれらのスクリーンに当たるときに、ほぼ後方反射が生じるように、視聴者に拡散されることがある。後方反射は、光がそれが来た方向に近い方向に返される反射である。したがって、そのようなスクリーンに該スクリーン面上にほとんど真っ直ぐに当たる光は、スクリーンの前に位置する視聴者の方向に曲げ戻されることが可能である。そのような後方反射の使用は、図２に記述された系のような系においては可能でない場合がある。
【００１２】
図２は、200で、別のフロント・プロジェクション表示装置を模式的に示している。上述したように、フロント・プロジェクション表示装置は、プロジェクタ210およびスクリーン220を備えている。スクリーン220は、スクリーン面230を備えることが可能である。
【００１３】
プロジェクタ210は、スクリーン220に水平に対して急角度で光を投影するように構成されることが可能である。たとえば、プロジェクタ210は、水平から約30°〜80°の間の角度でスクリーン220上に光が投影されるようにスクリーン220からオフセットされることが可能である。反射角は、スクリーンに沿って変化させることが可能である。光線240および250は、光がプロジェクタ210からスクリーン220に進むことが可能な典型的な経路を示している。典型的な目的だけのために、光線240は、角度245でスクリーンを反射され、拡散するものとして示されている。角度245は、角度80°のような任意の適切な角度であることが可能である。同様に、光線250は、角度255でスクリーンを反射するものとして示されている。角度255は、任意の適切な角度であることが可能である。角度255の例は、角度30°であることが可能である。図１で、光線160および170は、光がスクリーン220を反射した後で進むことが可能な経路を示している。そのような系においては、後方反射は、視聴者に映像を表示するのに不適当である場合がある。
【００１４】
本開示の１つの実施の形態においては、プロジェクタ210は、広角プロジェクタであることが可能である。フロント・プロジェクション系で実施されることが可能である１つの典型的な広角系は、2002年8月16日に出願され、「歪曲された中間映像を有する広角レンズ系」とタイトルを付けられた米国特許出願第１０／２２２，０５０号に記述されており、それは参照によってここに援用される。
【００１５】
図３において模式的に示された１つの典型的な広角系においては、本系300は、中継レンズ・ステージ310および広角レンズ・ステージ320を備えることが可能である。中継レンズ・ステージ310は、中間映像330を生成し、広角レンズ・ステージ320に投影するように構成されることが可能である。広角レンズ・ステージ320は、スクリーン350上での表示用に矯正された映像340を生成し、投影するように構成されることが可能である。
【００１６】
中間映像330は、広角レンズ・ステージが、予備歪曲映像を受けるように、歪曲された映像(I(D))であると考えられる場合がある。広角レンズ・ステージによってもたらされる歪みは、中間映像330の歪みの実質的にすべてが映像(I(-D))を生成するために広角レンズ・ステージ320によって補正される（取り消される）ようなものである。その参照(I(-D))は、中間映像の歪みのない映像を示すように意図されている。当然のことながら、歪みは、映像形状および／または焦点面に存在する場合もある。
【００１７】
本記述の目的のために、用語「歪み」は、予備歪曲系に入力される第１ステージ映像からの任意の変更を意味するように意図されている。たとえば、或る実施の形態においては、映像における歪みは、映像の少なくとも一部の形状の変更を含んでいる。用語「予備歪曲」は、広角投影系によって生成された歪みを補正する（つまり、その歪みと実質的に等しく且つ反転させる）光学映像の意図的な歪みを意味するように意図されている。当然のことながら、予備歪曲映像は、該予備歪曲映像が補正されるように意図されている下流の歪みの種類に依存して様々な異なる構成で提示されることも可能である。
【００１８】
図３に記述された系は、付加的な光学素子（図示せず）を含むことが可能である。たとえば、この系は、所望の光経路に沿って映像を導くために一又は複数のプリズムなどを備えることが可能である。さらに、中間映像または矯正された映像の変更を提供するように構成された一又は複数のレンズが存在することも可能である。
【００１９】
図４は、上述した広角系の１つの典型的な実施の形態を示している。図示されるように、この系は、レンズ系に映像を提供するように構成されたDMD410を備えることが可能である。映像は、本技術分野において公知の任意の方法でDMD410に提供されることができる。DMD410は、選択的に、任意の適切な発光源（図示せず）からレンズ系まで光を反射するように構成されることが可能である。他の種類の装置（たとえば、微小電気機械系（MEMS）、回折格子ライトバルブ（GLV）、液晶表示装置（LCD）、シリコン液晶（LCOS））が、レンズ系に映像を提供するのに使用されることも可能である。
【００２０】
他の装置がレンズ系に映像を提供するのに使用されることが可能であるが、図示された実施の形態においては、プリズム420は、映像を中継レンズ群430に導く。中継レンズ群430は、映像をプリズム420からプリズム440に投影し、中間プリズム440が意図的に歪曲された中間映像を受けるように映像を歪める。
【００２１】
１つの実施の形態においては、中継レンズ群430は、９枚のレンズを含んでいる。しかしながら、任意の数のレンズが、たとえば、中間映像の所望の歪み、またはレンズ系の全体寸法に基づいて使用されることができる。中継レンズ群430によってもたらされる歪みは、広角レンズ群450によって生じさせられた歪みと等しく且つ逆であることが可能である。１つの実施の形態においては、中間映像は、歪曲映像面においてほぼ半円の映像である。代替の実施の形態においては、他の種類の歪みが使用されることも可能である。たとえば、完全なレンズ場が使用されるならば、歪曲された中間映像は、ほぼ円形の映像になるであろう。映像面は、歪曲されたり、歪曲されなかったりすることが可能である。
【００２２】
中間プリズム440は、映像経路の90°屈曲を提供することが可能である。図５に関して下に述べられるように、屈曲が必要なわけではない。これに代えて、他の屈曲角（たとえば、45°、30°、135°、180°など）を使用することもできる。さらに、図１１〜図１３において示され、より詳細に下に議論されるように、複数の屈曲が使用されることも可能である。広角レンズ群450は、表示用にスクリーンに歪曲された中間映像を投影する。広角レンズ群450が、投影される映像に歪みを生じさせ、中間映像が、中継レンズ群430によって予備歪曲されるので、レンズ系によって投影された結果映像は、歪みをほとんど有していない。１つの実施の形態においては、中継レンズ群430、広角レンズ群450、および任意の関連するプリズムによって生じさせられた全体の歪みは、3％未満であることが可能である。
【００２３】
１つの実施の形態においては、中継レンズ群430のレンズの光軸は、一直線に整列されることが可能である。同様に、広角レンズ群450のレンズの光軸も一直線に整列されることが可能である。典型的には、広角レンズ群は、100°を越える画角を提供する。１つの実施の形態においては、画角は、153°である。しかしながら、任意の他の角度が提供されることもできる。或る実施の形態においては、広角レンズ群450の光軸は、キーストーン形状または台形状の歪みがないようにスクリーンに垂直である。
【００２４】
図５は、歪曲された中間映像を有する広角レンズ系の別の実施の形態を示している。図５のレンズ系が屈曲されないという点を除いては、図５のレンズ系は、図４のレンズ系と同様である。すなわち、広角レンズ系450は、中継レンズ系430と同軸である。図５のレンズ系は、中間プリズムを含んでいない。もし望まれれば、中間プリズムを含むことができる。
【００２５】
上述したように、映像は、スクリーンに投影されることが可能である。或る実施の形態においては、スクリーンは、フレネル・レンズの一部であることが可能である。図６は、スクリーンとして使用されることが可能な、610で示された断面のような、典型的な断面外形を備えたフレネル・レンズ600を示しているが、他の断面が使用されることも可能である。使用されるレンズ部分のサイズおよび形状は、表示装置のスクリーンのサイズおよび形状に対応している。
【００２６】
１つの実施の形態においては、フレネル・レンズ600は、一又は複数の所定の溝角度を有する多数の同心溝を有することができる。異なる溝角度を備えた領域または区画が存在することが可能である。溝角度を有するフレネル・レンズを製造および使用するための手法は、本技術分野においては公知である。
【００２７】
図７は、フロント・プロジェクション系で使用されるスクリーンの断面プロファイルを示している。模式的に図示されるように、スクリーン700は、スクリーン面上に複数の溝（ピーク）を備えたフレネル・レンズであることが可能である。各溝は、当たる光（入力光）720を730で示されるような視聴者の方へ反射するように構成された反射小平面710を備えている。そのような構成は、図２に示された系のように急角度から受けた光に適応することが可能である。溝角度および反射角が、入力光の角度に適応するために変化することが可能であることを注記しておく。さらに、その溝が対向する上向きの面は、迷光が視聴者の方へ反射されるのを防ぐように構成されることが可能である。
【００２８】
当然のことながら、溝は、スクリーン面を破損することなく小平面のクリーニングを可能にするために実質的に大きいことが可能である。或る実施の形態においては、スクリーン面は、埃および他のゴミがスクリーン面に集まることを回避するために帯電されることが可能である。たとえば、ユーザが選択可能な装置は、スクリーン面からいずれの埃も回避して、スクリーン面を通じてそれに電荷を送ることが可能なように提供されることが可能である。他の方法は、スクリーン700をクリーニングするために提供されることが可能である。たとえば、エア・キャニスタまたはエア・カーテンの使用を含む強制的な空気は、スクリーンをクリーニングするのに使用されることが可能である。
【００２９】
他の種類のスクリーン面およびスクリーンは、図２に示されるような急角度のプロジェクタに適応するのに使用されることが可能である。たとえば、スクリーンは、レンズ状スクリーンであることが可能である。レンズ状スクリーンは、緊密間隔で配置された多数の非常に小さな半円柱レンズ（微小凸レンズ）を含むことが可能である。或る実施の形態においては、レンズ状スクリーンは、フレネル・スクリーンのための図７に示される構成と同様に、片面反射スクリーンであることが可能である。したがって、図７は、フレネル・レンズの使用に関して記述されているが、当然のことながら、レンズは、レンズ状スクリーンであることが可能である。光は、レンズ状スクリーン面に急角度で当たることが可能であり、視聴者に対して水平な、あるいは他の所望の平面に沿って反射される。
【００３０】
図８は、800で、フロント・プロジェクション系用のスクリーンのための別の実施の形態を示している。スクリーンは、片面フレネル・レンズまたはリニア・プリズム・シートであることが可能であり、ミラー810またはスクリーンの裏側の同様の反射面を含むことが可能である。入力光820は、レンズ面830を通過することが可能であり、わずかに屈折される840ことが可能である。その後、屈折光840は、反射面（たとえば、ミラー）810で反射され、スクリーンを通じて方向を変えて戻されることが可能である。反射光850は、870で示されるように、視聴者の方へレンズの裏側860を通過することが可能である。
【００３１】
図８ａに示される同様の実施の形態においては、スクリーンは、860で示されるように、レンズ状シートであることが可能である。光870は、微小凸レンズの面を通過し、わずかに屈折し、後壁で反射され、別の微小凸レンズによって方向を変えて戻されることが可能である。
【００３２】
さらに他の実施の形態においては、レンズ状スクリーンは、両面であることが可能である。たとえば、レンズ状スクリーンの前側は、光の垂直方向の向きを変更するように構成された水平方向の微小凸レンズを備えることが可能である。スクリーンの裏側は、光の水平方向分布を変更するように構成された垂直方向の微小凸レンズを備えることが可能である。
【００３３】
図９は、900で、スクリーン面が複数のガラスビーズ式の構造を備えている別の実施の形態をさらに示している。ガラスビーズは、入力光の入射角に依存して光の向きを変えるように構成されることが可能である。したがって、ビーズの形状は、受けた入力光の角度に従うビーズの位置に依存して変化することが可能である。たとえば、図９においては、入力光910および920は、スクリーン900の方へ導かれる。入力光910および920は、それぞれ、ビーズ930および940に当たる。ビーズ930および940は、水平面（それぞれ950および960によって示されるように）上の視聴者の方へ光を外方に向きを変えるように構成されることが可能である。当然のことながら、ビーズ内への光の入射角は、スクリーンの垂直軸に沿って変化することが可能である。ビーズの屈折および反射特性は、様々な入射角に相互に関連することが可能である。
【００３４】
図１０は、別のスクリーン面1000をさらに示している。図示されるように、スクリーンは、複数の反射凹凸または他の適切な表面形状を有していることが可能である。凹凸は、実質的に急角度から入力光線1010および1020を受け、光を、光線1030および1040によってそれぞれ示されるような水平面に沿って視聴者の方へ導き戻すように構成されることが可能である。
【００３５】
上記のスクリーンは、上述した広角レンズ系からのように、急角度から光を受けるように構成されることが可能である。各スクリーンは、水平面または他の適切な表示面に沿って視聴者に光を反射するように構成された表面形状を備えるようにさらに構成されることが可能である。
【００３６】
当然のことながら、上述したスクリーン面のそれぞれは、映像の焦点への任意の顕著な障害を防止するようなサイズであることが可能である。さらに、スクリーンがユーザによる取り扱いおよび接触に適応することができるように、上述した表面は、実質的に耐久性のあるように構成されることが可能であることを注記しておく。これに加えて、スクリーン面は、容易にクリーニングされるように構成されることが可能である。たとえば、コーティングおよび他の表面処理は、静電気、埃などを低減する、および／または表面を保護するスクリーン面に適用されることが可能である。さらに、溝および他の表面形状は、実質的に、表面の容易なクリーニングを可能にするようなサイズとされることが可能である。或る実施の形態においては、スクリーン面は、スクリーンの映像品質および耐久性を向上させるために静電気防止コーティングおよび他の表面処理を備えることが可能である。
【００３７】
図１１は、1100で概して示される、別の典型的なレンズ系をさらに示している。典型的なレンズ系においては、映像経路は、多数の屈曲を含んでいる。具体的には、映像経路は、第１の中継レンズ群1110を通じて、方向変更光学素子1120および1130を通じて、広角レンズ系1140に導かれる。図示された構成においては、光（映像経路）は180°を越えて方向を変えられる。任意の適切な光学的配置が、光の方向を変えるのに使用されることが可能である。典型的な実施の形態においては、二重ミラーまたはプリズム1120，1130が、光の方向を約180°変えるように使用されることが可能である。他の光学的装置および多数の映像経路の屈折は、本発明の範疇を逸脱せずに使用されることが可能である。たとえば、プリズムおよび／またはミラーの他の組合せは、映像方向を180°以上変えるのに使用されることが可能である。多屈折配置は、出力光が、入力光と同じか、あるいは実質的に同じ方向に方向を変えられるように、光の方向を変えられる（異なるとはいえ水平面）。
【００３８】
上述したレンズ系のように、図１１におけるレンズ系は、歪曲された中間映像を生成するように構成されることが可能である。中間映像の歪みは、中間映像の歪みと実質的に等しく且つ反転した歪みを生成する広角レンズ・ステージを使用して矯正されることが可能である。或る実施の形態においては、上述したように、中間映像の歪みは、中継レンズ・ステージの使用によって生成されることが可能である。
【００３９】
これらのレンズ系のそれぞれは、元の映像から予備歪曲映像（あるいは中間映像）を生成するように構成された中継レンズ・ステージのような、予備歪曲系を有すると考えられることがある。レンズ系は、予備歪曲映像を受け、予備歪曲映像の予備歪曲を実質的に相殺し、且つ、元の映像に対応する実質的に非歪曲映像を投影するために映像を歪めるように構成された広角レンズ系のような受入れ投影系を有するとさらに考えられることがある。
【００４０】
レンズ系は、映像1150を広角レンズ・ステージからスクリーンに導くように構成されることが可能である。或る実施の形態においては、レンズ系は、映像をスクリーンに急角度で導くように構成されることが可能である。たとえば、レンズ系は、スクリーンの方へ30°〜80°の角度で光を導くように構成されることが可能である。光は、第１側のスクリーンに当たり、スクリーンの同じ側（第１側）の視聴者の方へ方向を変えて戻されることが可能である。上述したもののような任意の適切なスクリーンは、レンズ系から映像を受けるのに使用されることが可能である。
【００４１】
図１２は、さらに1200で、プロジェクタ1210を備えたレンズ系（図１１において示されるもののような）の使用を示している。図示されるように、レンズ系1220は、プロジェクタに結合されることが可能である。たとえば、レンズ系は、プロジェクタに分離可能に結合されることが可能である。これに代えて、レンズ系は、プロジェクタ内に一体とされることも可能である。複数の屈折系の使用によって、レンズの長さは、よりコンパクトな系を生成して、低減されることが可能である。プロジェクタ上のレンズの向きによって、該プロジェクタの本体は、壁に近接して位置することが可能である。そのような構成は、運転時にプロジェクタに必要な棚スペースを低減する一方、レンズ系によって要求される最小の投影距離を依然として提供することが可能である。たとえば、図１２のプロジェクタは、壁から2〜10インチ以内に配置されることが可能である一方、非常に大きな、50インチから100インチの映像を生成する。
【００４２】
図１２の系は、表示装置をさらにオフセットする。いくつかの前の表示系とは対照的に、表示装置は下にオフセットされ、表示された映像はプロジェクタの平面上で上にオフセットされている場合、本系は、表示装置が映像を上にオフセットさせるために上にオフセットされるように設定される。たとえば、本系における或る実施の形態においては、本レンズ系によって生成された中間映像は、オフセットを要求することがある。たとえば、図１２においては、レンズを組み合わせて光の方向を反転させることは、表示装置を所望の位置にオフセットさせるために機能することが可能である。
【００４３】
上述した開示は、独立した有用性を備えた多数の別個の発明を包含すると考えられる。これらの発明のそれぞれは、その好ましい形態で開示されているが、ここに開示および図示されたその特定の実施の形態は、多数の変形が可能なものとして、限定した意味で考慮されるべきではない。本発明の主題は、ここに開示された種々の要素、特徴、機能、および／または特性の新規且つ非明白なコンビネーションおよびサブコンビネーションをすべて含んでいる。請求項は、「１つの」もしくは「第１の」要素、またはその均等物を記述しているが、そのような請求項は、一又は複数のそのような要素の援用を、複数のそのような要素を除外することも要求することもなく含むと解釈されるべきである。
【００４４】
明細書における「１つの実施の形態」または「実施の形態」への参照は、当該実施の形態に関して記述された特定の特徴、構造、または特性が本発明の少なくとも１つの実施の形態に含まれることを意味する。明細書における様々な位置の「１つの実施の形態において」の表現の状況は、必ずしもすべてが同じ実施の形態を参照しているわけではない。
【００４５】
先の明細書においては、本発明は、その特定の実施の形態に関して記述されている。しかしながら、それは、様々な修正および変更が本発明のより広い精神および範疇から逸脱せずに、それに加えられることができることは明白であろう。従って、明細書および図面は、限定的な意味ではなく例示と見做されるべきである。
【符号の説明】
【００４６】
200  フロント・プロジェクション表示装置、210  プロジェクタ、220  スクリーン、230  スクリーン面、300  フロント・プロジェクション系、310  中継レンズ・ステージ、320  広角レンズ・ステージ、330  中間映像、340  矯正された映像、350  スクリーン、430  中継レンズ群、440  プリズム、450  広角レンズ群、600  フレネル・レンズ、700，800，900，1000  スクリーン、860  レンズ状シート、930，940  ビーズ、1100  レンズ系、1110  第１の中継レンズ群、1120，1130  方向変更光学素子、1140  広角レンズ系、1200  レンズ系、1210  プロジェクタ。
【図１】
2014095912.tif 000003
【図２】
2014095912.tif 000004
【図３】
2014095912.tif 000005
【図４】
2014095912.tif 000006
【図５】
2014095912.tif 000007
【図６】
2014095912.tif 000008
【図７】
2014095912.tif 000009
【図８】
2014095912.tif 000010
【図８ａ】
2014095912.tif 000011
【図９】
2014095912.tif 000012
【図１０】
2014095912.tif 000013
【図１１】
2014095912.tif 000014
【図１２】
2014095912.tif 000015
【手続補正書】
【提出日】平成26年1月21日(2014.1.21)
【手続補正２】
【補正対象書類名】特許請求の範囲
【補正対象項目名】全文
【補正方法】変更
【補正の内容】
【特許請求の範囲】
【請求項１】
表示装置であって、
元の映像から予備歪曲映像を生成する予備歪曲系と、
前記予備歪曲映像の予備歪曲を実質的に相殺するように歪ませ、スクリーンに前記元の映像に対応する実質的に非歪曲映像を投影させる投影系と、
を備え、
前記予備歪曲系の光軸と、前記投影系の光軸とは、同軸であることを特徴とする表示装置。
【請求項２】
前記予備歪曲映像は、形状が歪んでいることを特徴とする請求項１記載の表示装置。
【請求項３】
前記予備歪曲映像は、ほぼ半円の映像であることを特徴とする請求項１又は２記載の表示装置。
【請求項４】
前記予備歪曲映像は、ほぼ円形の映像であることを特徴とする請求項１又は２記載の表示装置。
【請求項５】
前記予備歪曲系と前記投影系との間に、入射する光の方向を変更する方向変更部を備えることを特徴とする請求項１〜４のいずれか一項に記載の表示装置。
【請求項６】
前記予備歪曲系は、前記方向変更部の近傍に前記予備歪曲映像を生成することを特徴とする請求項１〜５のいずれか一項に記載の表示装置。
【請求項７】
前記予備歪曲系は、前記方向変更部の位置よりも前記投影系側に前記予備歪曲映像を生成する請求項１〜５のいずれか一項に記載の表示装置。
【請求項８】
前記予備歪曲系は、前記投影系の内部に前記予備歪曲映像を生成することを特徴とする請求項７記載の表示装置。
【請求項９】
前記予備歪曲系は、レンズを含むことを特徴とする請求項１〜８のいずれか一項に記載の表示装置。
【請求項１０】
前記投影系は、前記表示装置が設置される水平面に対して約３０°から約８０°の間の角度で前記非歪曲映像を投影することを特徴とする請求項１〜９のいずれか一項に記載の表示装置。
【請求項１１】
前記投影系は、前記非歪曲映像の前記表示装置より遠い側の端を、前記表示装置が設置される水平面に対して約８０°で投影することを特徴とする請求項１〜１０のいずれか一項に記載の表示装置。
【請求項１２】
前記投影系は、前記非歪曲映像の前記表示装置に近い側の端を、前記表示装置が設置される水平面に対して約３０°で投影することを特徴とする請求項１〜１１のいずれか一項に記載の表示装置。
【請求項１３】
前記投影系の光軸が、前記スクリーンに略垂直であることを特徴とする請求項１〜１２のいずれか一項に記載の表示装置。
【請求項１４】
前記投影系は、前記スクリーンに映像を結像することを特徴とする請求項１〜１３のいずれか一項に記載の表示装置。
【請求項１５】
前記投影系の画角が１００°を超えることを特徴とする請求項１〜１４のいずれか一項に記載の表示装置。
【請求項１６】
前記投影系の画角が、約１５３°であることを特徴とする請求項１５に記載の表示装置。
【請求項１７】
前記投影系の画角が、約１００°から約１５３°であることを特徴とする請求項１〜１６のいずれか一項に記載の表示装置。
【請求項１８】
前記表示装置は、フロント・プロジェクション表示装置であることを特徴とする請求項１〜１７記載の表示装置。
【請求項１９】
前記投影系は、広角レンズを備えている請求項１〜１８のいずれか一項に記載の表示装置。
【請求項２０】
前記予備歪曲系は、中継レンズ群を備えている請求項１〜１９のいずれか一項に記載の表示装置。
【請求項２１】
前記予備歪曲系の光軸および前記投影系の光軸は、１８０°以上の角度を形成していることを特徴とする請求項１〜２０のいずれか一項に記載の表示装置。
【請求項２２】
前記予備歪曲系の光軸および前記投影系の光軸は、１８０°の角度を形成していることを特徴とする請求項１〜２０のいずれか一項に記載の表示装置。
【請求項２３】
前記予備歪曲系の光軸および前記投影系の光軸は、約１３５°の角度を形成していることを特徴とする請求項１〜２０のいずれか一項に記載の表示装置。
【請求項２４】
前記予備歪曲系の光軸および前記投影系の光軸は、約９０°の角度を形成していることを特徴とする請求項１〜２０のいずれか一項に記載の表示装置。
【請求項２５】
前記予備歪曲系の光軸および前記投影系の光軸は、約４５°の角度を形成していることを特徴とする請求項１〜２０のいずれか一項に記載の表示装置。
【請求項２６】
前記予備歪曲系の光軸および前記投影系の光軸は、約３０°の角度を形成していることを特徴とする請求項１〜２０のいずれか一項に記載の表示装置。
【請求項２７】
前記表示装置は、前記スクリーンに対して２インチ（５．０８ｃｍ）から１０インチ（２５．４０ｃｍ）以内の距離に配置されたときに、前記非歪曲映像のサイズが約５０インチ（約１２７．００ｃｍ）から約１００インチ（約２５４．００ｃｍ）となることを特徴とする請求項１〜２６のいずれか一項に記載の表示装置。
【請求項２８】
前記非歪曲映像は、全体の歪みが約３％未満であることを特徴とする請求項１〜２７のいずれか一項に記載の表示装置。
【請求項２９】
映像を生成する映像生成部をさらに備え、
前記映像生成部は、前記スクリーンと略垂直であることを特徴とする請求項１〜２８のいずれか一項に記載の表示装置。
【請求項３０】
映像を生成する映像生成部をさらに備え、
前記映像生成部は、前記スクリーンと略平行であることを特徴とする請求項１〜２８のいずれか一項に記載の表示装置。
【請求項３１】
光学系であって、
元の映像から予備歪曲映像を生成する予備歪曲系と、
前記予備歪曲映像の予備歪曲を実質的に相殺するように歪ませ、前記元の映像に対応する実質的に非歪曲映像を投影させる投影系と、
を備え、
前記予備歪曲系の光軸と、前記投影系の光軸とは、同軸であることを特徴とする光学系。
【請求項３２】
前記予備歪曲映像は、形状が歪んでいることを特徴とする請求項３１記載の光学系。
【請求項３３】
前記予備歪曲映像は、ほぼ半円の映像であることを特徴とする請求項３１又は３２記載の光学系。
【請求項３４】
前記予備歪曲映像は、ほぼ円形の映像であることを特徴とする請求項３１又は３２記載の光学系。
【請求項３５】
前記予備歪曲系と前記投影系との間に、入射する光の方向を変更する方向変更部を備えることを特徴とする請求項３１〜３４のいずれか一項に記載の光学系。
【請求項３６】
前記予備歪曲系は、前記方向変更部の近傍に前記予備歪曲映像を生成することを特徴とする請求項３１〜３５のいずれか一項に記載の光学系。
【請求項３７】
前記予備歪曲系は、前記方向変更部の位置よりも前記投影系側に前記予備歪曲映像を生成する請求項３１〜３５のいずれか一項に記載の光学系。
【請求項３８】
前記予備歪曲系は、前記投影系の内部に前記予備歪曲映像を生成することを特徴とする請求項３７記載の光学系。
【請求項３９】
前記予備歪曲系は、レンズを含むことを特徴とする請求項３１〜３８のいずれか一項に記載の光学系。
【請求項４０】
前記投影系は、前記光学系が設置される水平面に対して約３０°から約８０°の間の角度で前記非歪曲映像を投影することを特徴とする請求項３１〜３９のいずれか一項に記載の光学系。
【請求項４１】
前記投影系は、前記非歪曲映像の前記投影系より遠い側の端を、前記光学系が設置される水平面に対して約８０°で投影することを特徴とする請求項３１〜４０のいずれか一項に記載の光学系。
【請求項４２】
前記投影系は、前記非歪曲映像の前記投影系に近い側の端を、前記光学系が設置される水平面に対して約３０°で投影することを特徴とする請求項３１〜４１のいずれか一項に記載の光学系。
【請求項４３】
前記投影系の光軸が、前記スクリーンに略垂直であることを特徴とする請求項３１〜４２のいずれか一項に記載の光学系。
【請求項４４】
前記投影系は、前記スクリーンに映像を結像することを特徴とする請求項３１〜４３のいずれか一項に記載の光学系。
【請求項４５】
前記投影系の画角が１００°を超えることを特徴とする請求項３１〜４４のいずれか一項に記載の光学系。
【請求項４６】
前記投影系の画角が、約１５３°であることを特徴とする請求項４５に記載の光学系。
【請求項４７】
前記投影系の画角が、約１００°から約１５３°であることを特徴とする請求項３１〜４６のいずれか一項に記載の光学系。
【請求項４８】
前記投影系は、広角レンズを備えていることを特徴とする請求項３１〜４７のいずれか一項に記載の光学系。
【請求項４９】
前記予備歪曲系は、中継レンズ群を備えていることを特徴とする請求項３１〜４８のいずれか一項に記載の光学系。
【請求項５０】
前記予備歪曲系の光軸および前記投影系の光軸は、１８０°以上の角度を形成していることを特徴とする請求項３１〜４９のいずれか一項に記載の光学系。
【請求項５１】
前記予備歪曲系の光軸および前記投影系の光軸は、約１８０°の角度を形成していることを特徴とする請求項３１〜４９のいずれか一項に記載の光学系。
【請求項５２】
前記予備歪曲系の光軸および前記投影系の光軸は、約１３５°の角度を形成していることを特徴とする請求項３１〜４９のいずれか一項に記載の光学系。
【請求項５３】
前記予備歪曲系の光軸および前記投影系の光軸は、約９０°の角度を形成していることを特徴とする請求項３１〜４９のいずれか一項に記載の光学系。
【請求項５４】
前記予備歪曲系の光軸および前記投影系の光軸は、約４５°の角度を形成していることを特徴とする請求項３１〜４９のいずれか一項に記載の光学系。
【請求項５５】
前記予備歪曲系の光軸および前記投影系の光軸は、約３０°の角度を形成していることを特徴とする請求項３１〜４９のいずれか一項に記載の光学系。
【請求項５６】
前記非歪曲映像は、全体の歪みが約３％未満であることを特徴とする請求項３１〜５５のいずれか一項に記載の光学系。